(57)【要約】【課題】予め準備したカメラ機能解析用二次元バーコードをかご内カメラにかざし、二次元バーコードを画像としてカメラに読み込ませることで、カメラ機能のチェックを容易に行えるようにしたエレベータのかご内カメラ点検装置を得る。【解決手段】かご１内に設けられ、かご内の画像を撮影するかご内カメラ３と、かご内に設けられ、ＯＮ操作されることによりプログラムが立ち上がりカメラ点検モードに切り替えるカメラ機能点検スイッチ２と、エレベータの運行を制御するエレベータ制御部７と、かご内カメラのカメラ機能点検時にかご内カメラにかざされて、専用のバーコードを読み込ませるカメラ機能解析用二次元バーコード１２と、かご内カメラにかざされたカメラ機能解析用二次元バーコードの専用バーコードの画像を取得し、取得されたバーコード情報を解析して判定する画像判定部４とを備える。【選択図】図１
2011057403.tif 000002
【特許請求の範囲】
【請求項１】
エレベータのかごと、
前記かご内に設けられ、かご内の画像を撮影するかご内カメラと、
前記かご内に設けられ、ＯＮ操作されることによりプログラムが立ち上がりカメラ点検モードに切り替えるカメラ機能点検スイッチと、
エレベータの運行を制御するエレベータ制御部と、
前記かご内カメラのカメラ機能点検時に前記かご内カメラにかざされて、専用のバーコードを読み込ませるカメラ機能解析用二次元バーコードと、
前記かご内カメラにかざされたカメラ機能解析用二次元バーコードの専用バーコードの画像を取得し、取得されたバーコード情報を解析して判定する画像判定部と、
を備えたことを特徴とするエレベータのかご内カメラ点検装置。
【請求項２】
画像判定部は、カメラ画像の正常か異常かを判定し、その判定結果をかご内モニターに表示することを特徴とする請求項１記載のエレベータのかご内カメラ点検装置。
【請求項３】
画像判定部は、カメラ画像の正常か異常かを判定し、その判定結果をかご内インジケーターに区別して表示することを特徴とする請求項１記載のエレベータのかご内カメラ点検装置。
【請求項４】
エレベータのかごと、
前記かご内に設けられ、かご内の画像を撮影するかご内カメラと、
前記かご内に設けられ、ＯＮ操作されることによりプログラムが立ち上がりカメラ点検モードに切り替えるカメラ機能点検スイッチと、
エレベータの運行を制御するエレベータ制御部と、
前記エレベータ制御部と通信装置及び電話回線等を介して接続された情報センターと、
前記かご内カメラのカメラ機能点検時に前記かご内カメラにかざされて、専用のバーコードを読み込ませるカメラ機能解析用二次元バーコードと、
前記かご内カメラにかざされたカメラ機能解析用二次元バーコードの専用バーコードの画像を取得し、取得されたバーコード情報を解析して判定する画像判定部と、
を備えたことを特徴とするエレベータのかご内カメラ点検装置。
【請求項５】
画像判定部は、カメラ画像の正常か異常かを判定し、その判定結果をかご内モニターに表示し、エレベータ制御部は、前記画像判定部の判定結果を通信装置及び電話回線等を介して情報センターに送信してカメラ点検履歴をデータ収集部に保存することを特徴とする請求項４記載のエレベータのかご内カメラ点検装置。
【請求項６】
画像判定部は、カメラ画像の正常か異常かを判定し、その判定結果をかご内インジケーターに区別して表示し、エレベータ制御部は、前記画像判定部の判定結果を通信装置及び電話回線等を介して情報センターに送信してカメラ点検履歴をデータ収集部に保存することを特徴とする請求項４記載のエレベータのかご内カメラ点検装置。
【請求項７】
情報センターは、データ収集部に保存された判定結果を保守員が携帯している携帯電話に送信することを特徴とする請求項５又は請求項６記載のエレベータのかご内カメラ点検装置。
【発明の詳細な説明】
【技術分野】
【０００１】
この発明は、エレベータかご内に設置されている防犯カメラのカメラ機能の良否判定が簡単にできるエレベータのかご内カメラ点検装置に関するものである。
【背景技術】
【０００２】
従来、エレベータかご内に設置されているかご内防犯カメラの点検を行う場合は、保守員がパソコンを接続して、出力される画像をパソコン画面上で確認する等の方法で確認作業を実施していた。この際、パソコンを接続するには、昇降路等に設置された中継器にネットワーク接続する必要があった。
【０００３】
また、従来技術として、エレベータの異常を検出したときに管制センタに発報する管制センタ発報手段と、乗りかごの防犯カメラからの映像入力状態の異常を検出したときに防犯センタに発報する防犯センタ発報手段と、防犯カメラの映像を記録する映像記録装置の異常を検出したときにサービス拠点に発報するサービス拠点発報手段とを備え、上記異常の内容によって発報先を区別し、それぞれの異常に適した拠点に発報できるようにしたエレベータの遠隔監視装置が提案されている（例えば、特許文献１参照）。
【先行技術文献】
【特許文献】
【０００４】
【特許文献１】特開２００４−５９２０９号公報
【発明の概要】
【発明が解決しようとする課題】
【０００５】
従来のように、保守員がパソコンを接続して、出力される画像をパソコン画面上で確認することによるかご内防犯カメラの点検の方法では、パソコンを接続するには、昇降路等に設置された中継器にネットワーク接続する必要があるため、確認に係る作業の手間（時間）が余分にかかってしまい、作業に無駄が発生するという問題があった。
【０００６】
また、従来技術のエレベータの遠隔監視装置では、かご内カメラの機能状態の確認チェックを簡単に行えるようにしたものまで言及されていない。
【０００７】
この発明は、上述のような課題を解決するためになされたもので、予め準備したカメラ機能解析用二次元バーコードをかご内カメラにかざし、二次元バーコードを画像としてカメラに読み込ませることで、カメラ機能のチェックを容易に行えるようにしたエレベータのかご内カメラ点検装置を提供するものである。
【課題を解決するための手段】
【０００８】
この発明に係るエレベータのかご内カメラ点検装置においては、エレベータのかごと、かご内に設けられ、かご内の画像を撮影するかご内カメラと、かご内に設けられ、ＯＮ操作されることによりプログラムが立ち上がりカメラ点検モードに切り替えるカメラ機能点検スイッチと、エレベータの運行を制御するエレベータ制御部と、かご内カメラのカメラ機能点検時にかご内カメラにかざされて、専用のバーコードを読み込ませるカメラ機能解析用二次元バーコードと、かご内カメラにかざされたカメラ機能解析用二次元バーコードの専用バーコードの画像を取得し、取得されたバーコード情報を解析して判定する画像判定部とを備えたものである。
【０００９】
また、画像判定部は、カメラ画像の正常か異常かを判定し、その判定結果をかご内モニターに表示するものである。
【００１０】
また、画像判定部は、カメラ画像の正常か異常かを判定し、その判定結果をかご内インジケーターに区別して表示するものである。
【００１１】
また、エレベータのかごと、かご内に設けられ、かご内の画像を撮影するかご内カメラと、かご内に設けられ、ＯＮ操作されることによりプログラムが立ち上がりカメラ点検モードに切り替えるカメラ機能点検スイッチと、エレベータの運行を制御するエレベータ制御部と、エレベータ制御部と通信装置及び電話回線等を介して接続された情報センターと、かご内カメラのカメラ機能点検時にかご内カメラにかざされて、専用のバーコードを読み込ませるカメラ機能解析用二次元バーコードと、かご内カメラにかざされたカメラ機能解析用二次元バーコードの専用バーコードの画像を取得し、取得されたバーコード情報を解析して判定する画像判定部とを備えたものである。
【００１２】
また、画像判定部は、カメラ画像の正常か異常かを判定し、その判定結果をかご内モニターに表示し、エレベータ制御部は、画像判定部の判定結果を通信装置及び電話回線等を介して情報センターに送信してカメラ点検履歴をデータ収集部に保存するものである。
【００１３】
また、画像判定部は、カメラ画像の正常か異常かを判定し、その判定結果をかご内インジケーターに区別して表示し、エレベータ制御部は、画像判定部の判定結果を通信装置及び電話回線等を介して情報センターに送信してカメラ点検履歴をデータ収集部に保存するものである。
【００１４】
また、情報センターは、データ収集部に保存された判定結果を保守員が携帯している携帯電話に送信するものである。
【発明の効果】
【００１５】
この発明によれば、かご内に設けられ、かご内の画像を撮影するかご内カメラと、かご内に設けられ、ＯＮ操作されることによりプログラムが立ち上がりカメラ点検モードに切り替えるカメラ機能点検スイッチと、画像判定部に接続され、エレベータの運行を制御するエレベータ制御部と、かご内カメラのカメラ機能点検時にかご内カメラにかざされて、専用のバーコードを読み込ませるカメラ機能解析用二次元バーコードと、かご内カメラにかざされたカメラ機能解析用二次元バーコードの専用バーコードの画像を取得し、取得されたバーコード情報を解析して判定する画像判定部とを備えたので、かご内カメラの状態確認に掛かる手間（作業時間）を大幅に短縮することができる。また、カメラ機能チェックの履歴を自動的に保存することができる効果がある。
【図面の簡単な説明】
【００１６】
【図１】この発明の実施例１におけるエレベータのかご内カメラ点検装置を示すシステム構成図である。
【図２】この発明の実施例１におけるエレベータのかご内カメラ点検装置の二次元バーコードによるカメラ機能チェックを説明するためのフローチャートである。
【図３】この発明の実施例２におけるエレベータのかご内カメラ点検装置の二次元バーコードによるカメラ機能チェックを説明するためのフローチャートである。
【図４】この発明の実施例３におけるエレベータのかご内カメラ点検装置の二次元バーコードによるカメラ機能チェックを説明するためのフローチャートである。
【発明を実施するための形態】
【実施例１】
【００１７】
図１において、１はエレベータのかご、２はかご内操作盤（図示せず）内に設けられたカメラ機能点検スイッチで、このスイッチをＯＮすることにより、プログラムが立ち上がりカメラ機能点検モードに切り替えられる。３はかご内の画像を撮影するかご内カメラ、４は通信線を介してかご内カメラ３に接続され、かご内カメラ３で撮影された画像を判定する画像判定部、５はかご内に設けられたかご内インジケーター、６はかご内に設けられたかご内モニター、７は通信線を介して画像判定部４に接続されエレベータの運行を制御するエレベータ制御部、８は通信装置、９は通信装置８に電話回線又はブロードバンド回線を介して接続された情報センター、１０は情報センター９に設けられたデータ収集部で、かご内カメラ３のカメラ点検履歴を保存するものである。１１は保守員が携帯する携帯電話、１２は専用のバーコードを備えたカメラ機能解析用二次元バーコードで、かご内カメラ３のカメラ機能点検時にかご内カメラ３にかざして、カメラ機能解析用二次元バーコードを画像としてカメラに読み込ませることにより、カメラ機能のチェックを行うものである。
【００１８】
次に、かご内カメラ点検装置の二次元バーコードによるカメラ機能チェックについて、図２により説明する。
先ず、エレベータのかご内操作盤内にあるカメラ機能点検スイッチ２をＯＮにすると、プログラムが立ち上がりカメラ機能点検モードに切り替えられる（ステップＳ１）。次に、かご内カメラ３にカメラ機能解析用二次元バーコード１２をかざす（ステップＳ２）。かご内カメラ３はかざされたカメラ機能解析用二次元バーコード１２の専用バーコードを画像として取得する（ステップＳ３）。かご内カメラ３は取得したバーコード画像を画像判定部４に送信する（ステップＳ４）。画像判定部４はかご内カメラ３から送信されたバーコード画像が取得できたか否かを判定する（ステップＳ５）。そして、ステップＳ５でカメラ画像取得ＯＫの場合、取得したバーコード情報を解析する（ステップＳ６）。取得したバーコード情報がカメラ機能解析用二次元バーコードであって、解析可能であれば、「カメラ画像正常」と判定し、取得したバーコード情報が解析不能（カメラ機能解析用以外のバーコード又は解析できない場合）であれば、「カメラ画像異常」と判定する（ステップＳ７）。ステップＳ７で画像判定部４がカメラ画像正常と判定すれば、「カメラ正常」の表示指令をかご内モニター６へ送信する（ステップＳ８）。ステップＳ５でカメラ画像取得出来ない場合、及びステップＳ７で取得したバーコード情報が解析不能（カメラ機能解析用以外のバーコード又は解析できない場合）であって、「カメラ画像異常」と判定された場合は、画像判定部４が「カメラ異常」の表示指令をかご内モニター６へ送信する（ステップＳ９）。そして、ステップＳ１０で画像判定部４の判定結果がかご内モニター６に表示される。また、画像判定部４はエレベータ制御部７へ判定結果を送信し（ステップＳ１１）、エレベータ制御部７は通信装置８を介して、カメラ点検の実施履歴を情報センター９に送信し、データ収集部１０にカメラ点検履歴を保存する（ステップＳ１２）。そして、最後に、エレベータのかご内操作盤内にあるカメラ機能点検スイッチ２をＯＦＦにして、通常モードに切り替える（ステップＳ１３）。
【実施例２】
【００１９】
次に、この発明の実施例２におけるエレベータのかご内カメラ点検装置の二次元バーコードによるカメラ機能チェックについて、図３により説明する。
先ず、エレベータのかご内操作盤内にあるカメラ機能点検スイッチ２をＯＮにすると、プログラムが立ち上がりカメラ機能点検モードに切り替えられる（ステップＳ２１）。次に、かご内カメラ３にカメラ機能解析用二次元バーコード１２をかざす（ステップＳ２２）。かご内カメラ３はかざされたカメラ機能解析用二次元バーコード１２の専用バーコードを画像として取得する（ステップＳ２３）。かご内カメラ３は取得したバーコード画像を画像判定部４に送信する（ステップＳ２４）。画像判定部４はかご内カメラ３から送信されたバーコード画像が取得できたか否かを判定する（ステップＳ２５）。そして、ステップＳ２５でカメラ画像取得ＯＫの場合、取得したバーコード情報を解析する（ステップＳ２６）。取得したバーコード情報がカメラ機能解析用二次元バーコードであって、解析可能であれば、「カメラ画像正常」と判定し、取得したバーコード情報が解析不能（カメラ機能解析用以外のバーコード又は解析できない場合）であれば、「カメラ画像異常」と判定する（ステップＳ２７）。ステップＳ２７で画像判定部４がカメラ画像正常と判定すれば、「カメラ正常」の表示指令をエレベータ制御部７へ送信する（ステップＳ２８）。ステップＳ２５でカメラ画像取得出来ない場合、及びステップＳ２７で取得したバーコード情報が解析不能（カメラ機能解析用以外のバーコード又は解析できない場合）であって、「カメラ画像異常」と判定された場合は、画像判定部４が「カメラ異常」の表示指令をエレベータ制御部７へ送信する（ステップＳ２９）。そして、ステップＳ３０でエレベータ制御部７は表示指令に合った結果をかご内インジケーター５へ送信し、カメラ機能の判定結果によりインジケーターを区別して点灯させる。例えば、カメラ正常の場合は２回点灯⇒５秒消灯、カメラ異常の場合は４回点灯⇒３秒消灯を行う（ステップＳ３０）。次に、エレベータ制御部７は通信装置８を介して、カメラ点検の実施履歴を情報センター９に送信し、データ収集部１０にカメラ点検履歴を保存する（ステップＳ３１）。そして、最後に、エレベータのかご内操作盤内にあるカメラ機能点検スイッチ２をＯＦＦにして、通常モードに切り替える（ステップＳ３２）。
【実施例３】
【００２０】
次に、この発明の実施例３におけるエレベータのかご内カメラ点検装置の二次元バーコードによるカメラ機能チェックについて、図４により説明する。
先ず、エレベータのかご内操作盤内にあるカメラ機能点検スイッチ２をＯＮにすると、プログラムが立ち上がりカメラ機能点検モードに切り替えられる（ステップＳ４１）。次に、かご内カメラ３にカメラ機能解析用二次元バーコード１２をかざす（ステップＳ４２）。かご内カメラ３はかざされたカメラ機能解析用二次元バーコード１２の専用バーコードを画像として取得する（ステップＳ４３）。かご内カメラ３は取得したバーコード画像を画像判定部４に送信する（ステップＳ４４）。画像判定部４はかご内カメラ３から送信されたバーコード画像が取得できたか否かを判定する（ステップＳ４５）。そして、ステップＳ４５でカメラ画像取得ＯＫの場合、取得したバーコード情報を解析する（ステップＳ４６）。取得したバーコード情報がカメラ機能解析用二次元バーコードであって、解析可能であれば、「カメラ画像正常」と判定し、取得したバーコード情報が解析不能（カメラ機能解析用以外のバーコード又は解析できない場合）であれば、「カメラ画像異常」と判定する（ステップＳ４７）。ステップＳ４７で画像判定部４がカメラ画像正常と判定すれば、「カメラ正常」の表示指令をエレベータ制御部７へ送信する（ステップＳ４８）。ステップＳ４５でカメラ画像取得出来ない場合、及びステップＳ４７で取得したバーコード情報が解析不能（カメラ機能解析用以外のバーコード又は解析できない場合）であって、「カメラ画像異常」と判定された場合は、画像判定部４が「カメラ異常」の表示指令をエレベータ制御部７へ送信する（ステップＳ４９）。そして、ステップＳ５０でエレベータ制御部７は通信装置８を介して、カメラ点検の判定結果、及び実施履歴を情報センター９に送信し、データ収集部１０にカメラ点検履歴を保存する。また、情報センター９は受信した判定結果を解析して、作業中の保守員が携帯している携帯電話１１に解析結果をメール送信する（ステップＳ５１）。保守員が携帯している携帯電話１１はメールを受信し、解析結果を表示する（ステップＳ５２）。そして、最後に、エレベータのかご内操作盤内にあるカメラ機能点検スイッチ２をＯＦＦにして、通常モードに切り替える（ステップＳ５３）。
【符号の説明】
【００２１】
１  エレベータのかご
２  カメラ機能点検スイッチ
３  かご内カメラ
４  画像判定部
５  かご内インジケーター
６  かご内モニター
７  エレベータ制御部
８  通信装置
９  情報センター
１０  データ収集部
１１  携帯電話
１２  カメラ機能解析用二次元バーコード
【図１】
2011057403.tif 000003
【図２】
2011057403.tif 000004
【図３】
2011057403.tif 000005
【図４】
2011057403.tif 000006